(57)【要約】  スリーブ（１００’）を形成するための細長いブランク材（１０、１０’）は、複数のパネルを含む。パネルは、２つの背面パネルを含む。スリーブ（１００’）を形成するためにブランク材（１０、１０’）が折り畳まれる時に、外側背面パネル（４０、４０’）が内側背面パネル（２２、２２’）に重なり、それらのパネルの間にポケット（１０８’）が形成される。ポケット（１０８’）は、１つ又はそれよりも多くの物体を収容するように構成される。スリーブ（１００’）は、喫煙物品を収容するパッケージのような容器の上に置かれるようになっている。ポケット（１０８’）は、１つ又はそれよりも多くの販売促進用無煙タバコ製品のような別のタバコ製品を収容することができる。【選択図】図９
2011506217.tif 000002
【特許請求の範囲】
【請求項１】
容器のためのスリーブを形成するための細長いブランク材であって、
内側右側面パネルと、
第１の垂直折り畳み線に沿って前記内側右側面パネルに接続された内側背面パネルと、
第２の垂直折り畳み線によって前記内側背面パネルに接続された内側左側面パネルと、
第３の垂直折り畳み線によって前記内側左側面パネルに接続された前面パネルと、
第４の垂直折り畳み線によって前記前面パネルに接続された外側右側面パネルと、
第５の垂直折り畳み線によって前記外側右側面パネルに接続された外側背面パネルと、
第６の垂直折り畳み線によって前記外側背面パネルに接続された外側左側面パネルと、
を含み、
前記内側左側面パネル、前記内側背面パネル、前記内側左側面パネル、及び前記前面パネル間のスリーブ開口部と、該内側背面パネル及び前記外側背面パネル間のポケットとを形成するために折り畳み可能である、
ことを特徴とするブランク材。
【請求項２】
前記外側背面パネルは、該外側背面パネルの上端に位置する半円形切り欠きを含むことを特徴とする請求項１に記載のブランク材。
【請求項３】
前記内側右側面パネルは、台形形状であり、
前記内側背面パネル、内側左側面パネル、前面パネル、外側右側面パネル、外側背面パネル、及び外側左側面パネルは、矩形形状である、
ことを特徴とする請求項１に記載のブランク材。
【請求項４】
前記外側背面パネルの下に配置され、かつ第１の水平折り畳み線によってそこに接続されたストップパネルと、
前記ストップパネルの下に配置され、かつ第２の水平折り畳み線に沿ってそこに接続されたタックパネルと、
を含み、
前記ストップパネルが、前記第１の水平折り畳み線を前記第２の水平折り畳み線に接続する角度付き側縁を有し、前記タックパネルが、水平下縁と、該第２の水平折り畳み線を該水平下縁に接続する角度付き側縁とを有する、
底面パネルを更に含むことを特徴とする請求項１に記載のブランク材。
【請求項５】
前記第１、第２、第３、第４、第５、及び第６の垂直折り畳み線が、互いに対して平行であることを特徴とする請求項１に記載のブランク材。
【請求項６】
前記第１、第２、第３、第４、第５、及び第６の垂直折り畳み線が、互いに対して平行であり、
前記第１及び第２の水平折り畳み線は、互いに対して平行であり、かつ前記第１、第２、第３、第４、第５、及び第６の垂直折り畳み線に対して垂直である、
ことを特徴とする請求項４に記載のブランク材。
【請求項７】
接着剤材料が、前記内側右側面パネル及び前記内側左側面パネルの各々の面の少なくとも一部分上に設けられることを特徴とする請求項１に記載のブランク材。
【請求項８】
前記外側右側面パネル及び外側左側面パネルは、それぞれ、前記内側右側面パネル及び前記内側左側面パネルよりも幅が広いことを特徴とする請求項１に記載のブランク材。
【請求項９】
前記外側背面パネルは、該外側背面パネルの下端に位置する半円形切り欠きを含むことを特徴とする請求項２に記載のブランク材。
【請求項１０】
前記外側背面パネルの下に配置されて第１の水平折り畳み線によってそこに接続され、かつ該外側背面パネルの下端に位置する前記半円形切り欠きの延長部によって離間した第１及び第２の部分を有するストップパネルと、
前記ストップパネルの下に配置され、かつ第２の水平折り畳み線に沿ってそこに接続されたタックパネルと、
を含み、
前記ストップパネルが、前記第１の水平折り畳み線を前記第２の水平折り畳み線に接続する角度付き側縁を有し、前記タックパネルが、水平下縁と、該第２の水平折り畳み線を該水平下縁に接続する側縁とを有する、
底面パネルを更に含むことを特徴とする請求項９に記載のブランク材。
【請求項１１】
前記外側背面パネルは、前記内側背面パネルよりも狭いことを特徴とする請求項１に記載のブランク材。
【請求項１２】
第７の垂直折り畳み線によって前記外側右側面パネルに接続され、かつ前記第５の垂直折り畳み線によって前記外側背面パネルに接続された後方右側面パネルと、
前記第６の垂直折り畳み線によって前記外側背面パネルに接続され、かつ第８の垂直折り畳み線によって前記外側左側面パネル接続された後方左側面パネルと、
を更に含み、
前記内側右側面パネル、前記内側背面パネル、前記内側左側面パネル、及び前記前面パネル間のスリーブ開口部を形成するために折り畳み可能であり、
前記ポケットは、前記後方右側面パネル及び前記後方左側面パネルが該ポケットの傾斜付き側面を形成するように、前記内側背面パネル、該後方右側面パネル、前記外側背面パネル、及び該後方左側面パネル間に形成される、
ことを特徴とする請求項１１に記載のブランク材。
【請求項１３】
請求項１に記載の折り畳まれたブランク材から形成されたスリーブであって、
前面パネルが、スリーブの外側前面及び内側前面を形成し、
外側左側面パネルが、スリーブの外側左面を形成し、
外側右側面パネルが、スリーブの外側右面を形成し、
外側背面パネルが、スリーブの外側背面を形成し、
内側左側面パネルが、前記外側左側面パネルの下に重なり、かつスリーブの内側左面を形成し、
内側右側面パネルが、前記外側右側面パネルの下に重なり、かつスリーブの内側右面を形成し、
内側背面パネルが、前記外側背面パネルの下に重なり、かつスリーブの内側背面を形成し、
前記内側前面、内側左面、内側右面、及び内側背面は、スリーブの内部を形成し、
前記内側背面パネル及び外側背面パネルは、その間にポケットを形成する、
ことを特徴とするスリーブ。
【請求項１４】
包装された物品であって、
矩形断面を有し、かつ前面、左面、右面、及び背面を含む容器と、
前面パネルが前記容器の前記前面の上に重なり、内側及び外側左側面パネルが該容器の前記左面の上に重なり、内側及び外側右側面パネルが該容器の前記右面の上に重なり、かつ内側及び外側背面パネルが該容器の前記背面の上に重なるように該容器を取り囲む請求項１３に記載のスリーブと、
を含むことを特徴とする物品。
【請求項１５】
前記容器は、固い又は柔らかいシガレットパックであり、前記内側背面パネルは、販売促進用無煙タバコパッケージを受け取るように寸法設定されたポケットを形成する開放空間によって前記外側背面パネルから分離されることを特徴とする請求項１４に記載の包装された物品。
【請求項１６】
請求項１に記載のブランク材からスリーブを形成する方法であって、
前面パネルが、スリーブの外側前面及び内側前面を形成し、
外側左側面パネルが、前記スリーブの外側左面を形成し、
外側右側面パネルが、前記スリーブの外側右面を形成し、
外側背面パネルが、前記スリーブの外側背面を形成し、
内側左側面パネルが、前記外側左側面パネルの下に重なり、かつ前記スリーブの内側左面を形成し、
内側右側面パネルが、前記外側右側面パネルの下に重なり、かつ前記スリーブの内側右面を形成し、
内側背面パネルが、前記外側背面パネルの下に重なり、かつ前記スリーブの内側背面を形成し、
前記内側前面、内側左面、内側右面、及び内側背面は、前記スリーブの内部を形成し、かつ
前記内側背面パネル及び前記外側背面パネルは、それらの間にポケットを形成する、
ようにブランク材を折り畳む段階、
を含むことを特徴とする方法。
【請求項１７】
前記ブランク材は、
前記外側背面パネルの下に配置され、かつ第１の水平折り畳み線によってそこに接続されたストップパネルと、
前記ストップパネルの下に配置され、かつ第２の水平折り畳み線に沿ってそこに接続されたタックパネルと、
を更に含み、
前記ストップパネルは、前記第１の水平折り畳み線を前記第２の水平折り畳み線に接続する角度付き側縁を有し、前記タックパネルは、水平下縁と、該第２の水平折り畳み線を該水平下縁に接続する角度付き側縁とを有し、
前記内側背面パネルと前記外側背面パネルの間にポケットを形成するために、底面パネルと前記外側背面パネルの間で前記第１の水平折り畳み線の上方に前記ストップパネルを折り畳む段階と、
前記ストップパネルと前記タックパネルの間で前記第２の水平折り畳み線に関して前記タックパネルを折り畳み、該タックパネルを前記内側背面パネルに接着的に結合する段階と、
を更に含むことを特徴とする請求項１６に記載の方法。
【請求項１８】
前記ブランク材は、
前記外側背面パネルの上端及び下端に位置する半円形切り欠きと、
第７の垂直折り畳み線によって前記外側右側面パネルに接続され、かつ第５の垂直折り畳み線によって前記外側背面パネルに接続された後方右側面パネルと、
第６の垂直折り畳み線によって前記外側背面パネルに接続され、かつ第８の垂直折り畳み線によって前記外側左側面パネルに接続された後方左側面パネルと、
を更に含み、
前記内側背面パネル、前記後方右側面パネル、前記外側背面パネル、及び前記後方左側面パネルがそれらの間に前記ポケットを形成するように前記ブランク材を折り畳む段階、
を更に含むことを特徴とする請求項１７に記載の方法。
【発明の詳細な説明】
【背景技術】
【０００１】
シガレットは、パッケージで販売されるが、噛みタバコのようなタバコ製品は、異なる形態の包装で提供される。
【発明の概要】
【課題を解決するための手段】
【０００２】
本発明により、内側右側面パネルと、第１の垂直折り畳み線に沿って内側右側面パネルに接続された内側背面パネルと、第２の垂直折り畳み線によって内側背面パネルに接続された内側左側面パネルと、第３の垂直折り畳み線によって内側左側面パネルに接続された前面パネルと、第４の垂直折り畳み線によって前面パネルに接続された外側右側面パネルと、第５の垂直折り畳み線によって外側右側面パネルに接続された外側背面パネルと、第６の垂直折り畳み線によって外側背面パネルに接続された外側左側面パネルとを含み、細長いブランク材が、内側右側面パネルと、内側背面パネルと、内側左側面パネルと、前面パネルとの間のスリーブ開口部と、内側背面パネルと外側背面パネルの間のポケットとを形成するために折り畳み可能である容器のスリーブを形成するための細長いブランク材を提供する。
【０００３】
本発明により、前面パネルがスリーブの外側前面及び内側前面を形成し、外側左側面パネルがスリーブの外側左面を形成し、外側右側面パネルがスリーブの外側右面を形成し、外側背面パネルがスリーブの外側背面を形成し、内側左側面パネルが外側左側面パネルの下にありスリーブの内側左面を形成し、内側右側面パネルが外側右側面パネルの下にありスリーブの内側右面を形成し、内側背面パネルが外側背面パネルの下にありスリーブの内側背面を形成し、内側前面、内側左面、内側右面、及び内側背面がスリーブの内部を形成し、内側背面パネル及び外側背面パネルがその間にポケットを形成する本発明による折り畳まれたブランク材で形成されたスリーブも提供する。
【０００４】
内側左側面パネルは、外側左側面パネルに接着的に結合することができ、内側右側面パネルは、外側右側面パネルに接着的に結合することができる。
前面パネルは、シガレットパックを摺って収容するように寸法設定された空間によって内側背面パネルから分離することができ、内側背面パネルは、販売促進用無煙タバコパッケージを収容するように寸法設定されたポケットを形成する空間によって外側背面パネルから分離することができる。
【０００５】
本発明により、前面がスリーブの外側前面及び内側前面を形成し、外側左側面パネルがスリーブの外側左面を形成し、外側右側面パネルがスリーブの外側右面を形成し、外側背面パネルがスリーブの外側背面を形成し、内側左側面パネルが外側左側面パネルの下にありスリーブの内側左面を形成し、内側右側面パネルが外側右側面パネルの下にありスリーブの内側右面を形成し、内側背面パネルが外側背面パネルの下にありスリーブの内側背面を形成し、内側前面、内側左面、内側右面、及び内側背面がスリーブの内部を形成し、内側背面パネル及び外側背面パネルがその間にポケットを形成するようにブランク材を折り畳む本発明によるブランク材からスリーブを形成する方法を更に提供する。
【０００６】
本方法は、容器の上にスリーブを置く段階を更に含むことができる。一実施形態では、容器は、固い又は柔らかいシガレットパックであり、内側背面パネルは、販売促進用無煙タバコパッケージを収容するように寸法設定されたポケットを形成する空間によって外側背面パネルから分離される。
本方法は、内側左側面パネルを外側左側面パネルに接着的に結合する段階と、内側右側面パネルを外側右側面パネルに接着的に結合する段階とを更に含むことができる。
本方法は、販売促進用パッケージを内側及び外側背面パネル間のポケット内に置く段階を更に含むことができる。一実施形態では、販売促進用パッケージは、１つ又はそれよりも多くの無煙タバコポーチを内部に収容する薄い矩形パッケージである。
【図面の簡単な説明】
【０００７】
【図１】スリーブを形成するためのブランク材の実施形態の平面図である。
【図２】図１に示すブランク材を折り畳んで形成したスリーブの上面図である。
【図３】形成したスリーブの背面図である。
【図４】スリーブと一体に形成したポケットを有するスリーブを形成するためのブランク材の別の実施形態の平面図である。
【図５】部分的に折り畳んだ図４に示すブランク材の斜視図である。
【図６】部分的に折り畳んだ図４に示すブランク材の別の斜視図である。
【図７】図４に示すブランク材を折り畳んで形成したスリーブと一体に形成されたポケットのインサートの実施形態を示すポケットを有するスリーブを通る断面図である。
【図８】図４に示すブランク材を折り畳んで形成したスリーブと一体に形成されたポケットのインサートの実施形態を示すポケットを有するスリーブの斜視図である。
【図９】図８に示すスリーブ、ポケット、及びインサートの別の斜視図である。
【発明を実施するための形態】
【０００８】
図１は、容器の上に置かれるようになっており、スリーブと一体に形成されたポケット内に包装されたポーチ入りタバコ製品のような販売促進用製品を収容するスリーブを形成するためのブランク材１０を示している。容器は、例えば、従来のシガレットのような喫煙物品を収容する柔らかいパック又はヒンジ式蓋の固いパックのようなパッケージとすることができる。図１に示すブランク材１０の実施形態は、単体の細長い形状を有し複数のパネルを含む。パネルは、スリーブを形成するために折り畳まれる。図示のブランク材１０の左端から始めて、ブランク材１０は、台形形状を有して角度付き上縁１４及び角度付き下縁１６を含む内側右側面パネル１２を含む。内側右側面パネル１２は、好ましくは面１８の少なくとも一部分に付加された接着剤材料を含む。上縁１４及び下縁１６は、内側右側面パネル１２を接続している垂直折り畳み線２０から矩形内側背面パネル２２まで延びている。内側背面パネル２２は、垂直折り畳み線２４に沿って矩形内側左側面パネル２６に接続される。内側左側面パネル２６は、好ましくは面２８の少なくとも一部分に付加された接着剤材料を含む。内側左側面パネル２６は、垂直折り畳み線３０に沿って面３３を有する矩形前面パネル３２に接続される。前面パネル３２は、垂直折り畳み線３４に沿って面３７を有する矩形外側右側面パネル３６に接続される。外側右側面パネル３６は、垂直折り畳み線４６に沿って面４１を有する矩形外側背面パネル４０に接続される。外側背面パネル４０は、垂直折り畳み線４８に沿って面４５を有する矩形外側左側面パネル４４に接続される。
折り畳み線４６、４８は、それぞれ、角度付き縁部５２、５４によって形成されたブランク材１０の水平上縁の凹部部分５０に上向きに延びている。切り裂き線５８によって形成された任意的な半円形切り欠き５６を凹部部分５０に沿って配置することができる。
【０００９】
図１に示すように、ブランク材１０は、内側背面パネル２２と外側背面パネル４０の間に形成されたポケットの底面を形成するために外側背面パネル４０の下に配置された任意的な底面パネル６０を含む。底面パネル６０は、水平折り畳み線６４によって外側背面パネル４０に接続されたストップパネル６２と、水平折り畳み線６８に沿ってストップパネル６２の下にかつそれに接続されたタックパネル６６とを含む。折り畳み線６４、６８は、好ましくは互いに平行である。ストップパネル６２は、角度付き縁部７０、７２を含み、トラックパネル６６は、角度付き縁部７４、７６及び水平下縁７８を含む。
【００１０】
ブランク材１０は、あらゆる適切な材料で構成することができる。好ましくは、ブランク材は、ヒンジ式蓋のシガレット箱を形成するための紙材料から成る。ブランク材１０は、紙材料の１つ又はそれよりも多くの層を含むことができる。
この実施形態では、前面パネル３２、外側右側面パネル３６、外側背面パネル４０、及び外側左側面パネル４４の１つ又はそれよりも多くにロゴ、情報テキスト、装飾類のような印しを提供することができる。例えば、印しは、これらのパネルの１つ又はそれよりも多くに印刷することができる。代替的に、印しは、ブランク材の表面に接着した個々のシートに提供することができる。
【００１１】
この実施形態では、垂直折り畳み線２０、２４、３０、３４、４６、及び４８は、好ましくは互いに平行であり、好ましくは水平折り畳み線６４、６８に垂直である。ブランク１０がスリーブに折り畳まれると、前面パネル３２、外側右側面パネル３６、外側背面パネル４０、及び外側左側面パネル４４がスリーブの外面を形成する。特に、前面パネル３２の面３３は、外側前面を形成し、外側左側面パネル４４の面４５は、外側左面を形成し、外側右側面パネル３６の面３７は、外側右面を形成し、外側背面パネル４０の面４１は、スリーブの外側右面を形成する。内側左側面パネル２６の面２８は、外側左側面パネル４４の内面に面して好ましくは接着され、内側右側面パネル１２の面１８は、外側右側面パネル３６の面８０に面して好ましくは接着され、外側右側面パネル３６及び外側左側面パネル４４が内側右側面パネル１２及び内側左側面パネル２６よりも広いために、内側背面パネル２２の面８０は、外側背面パネル４０の内面に面して内側背面パネル２２と外側背面パネル４０の間にポケットを形成する。前面パネル３２は、スリーブの内側前面を形成し、内側左側面パネル２６は、外側左側面パネル４４の下にありかつスリーブの内側左面を形成し、内側右側面パネル１２は、外側右側面パネル３６の下にありかつスリーブの内側右面を形成し、内側背面パネル２２は、外側背面パネル４０の下にありかつスリーブの内側背面を形成する。内側前面、内側左面、内側右面、及び内側背面は、シガレットパックのような矩形容器を緊密に収容するように構成されたスリーブの内側を形成する。図２及び３を参照されたい。タックパネル６６は、内側背面パネル２２と外側背面パネル４０の間に折り込まれてそれらに対して実質的に平行に延び、ストップパネル６２は、内側背面パネル２２及び外側背面パネル４０の対向する垂直面に対して垂直に延びている。ストップパネル６２は、スリーブ内で２つの機能を設ける。第１に、ストップパネル６２は、内側背面パネル２２と外側背面パネル４０の間の空間の幅を形成する。空間は、水平折り畳み線間の距離とほぼ同じサイズを有する。ストップパネル６２はまた、ポケットに収容された物品がポケットの下縁から脱落することを防止する底面壁を形成する。タックパネル６６は、内側背面パネル２２に接着的に結合することができる。
【００１２】
スリーブ内では、内側背面パネル２２と外側背面パネル４０の対向する面の間のポケットが、ブランク材の上縁の部分５０から折り畳み線６４まで延びている。ポケットは、その上縁が開いている。ポケットは、１つ又はそれよりも多くの物品を収容するように構成される。例えば、ポケットは、無煙タバコのポーチを収容する１つ又はそれよりも多くのパッケージを収容するように構成することができる。
【００１３】
スリーブは、矩形縦方向断面形状の様々な容器と共に使用することができる。容器は、シガレットが内に格納される厚紙で作られた柔らかいパック又は固いパックとすることができる。そのような容器は、箱部分にヒンジ止めされた蓋部分を含むことができる。そのような容器は、喫煙物品の新鮮さを保持するために外側セロファン包装紙を有することができる。そのような容器の１つは、スリーブが容器の前面、側面、及び背面に重なるように形成したスリーブ内に挿入することができる。代替的に、ブランク材は、容器の上に置かれてスリーブを形成するように折り畳むことができる。販売促進用製品のような１つ又はそれよりも多くの物品を次にポケット内に挿入することができる。
【００１４】
図４は、容器の上に置かれてスリーブと一体に形成したポケット内に包装したタバコポーチ入り製品のような販売促進用製品を収容するように構成されたスリーブを形成するためのブランク１０’の別の実施形態を示している。容器は、例えば、従来のシガレットのような喫煙物品を収容する柔らかいパック又はヒンジ式蓋の固いパック（シガレットパック）のようなパッケージとすることができる。図４に示すブランク材１０’の実施形態は、一体の細長い形状を有し複数のパネルを含む。パネルは、折り畳まれてスリーブを形成する。
【００１５】
図示のブランク材１０’の右端から始めて、ブランク材１０’は、台形形状を有して角度付き上縁１４’及び角度付き下縁１６’を含む内側右側面パネル１２’を含む。内側右側面パネル１２’は、内面１７’と内面１７’からパネル１２’の別の側面上の外面とを有する。好ましくは、内側右側面パネル１２’は、外面の少なくとも一部分に付加された接着剤材料を含む。
上縁１４’及び下縁１６’は、内側右側面パネル１２’を接続している垂直折り畳み線２０’から矩形内側背面パネル２２’まで延びている。内側背面パネル２２’は、垂直折り畳み線２４’に沿って矩形内側左側面パネル２６’に接続される。内側左側面パネル２６’は、内面２５’を有し、好ましくは、内側左側面パネル２６’（図６）の別の側面上の外面２８’の少なくとも一部分に付加された接着剤材料を含む。内側左側面パネル２６’は、垂直折り畳み線３０’に沿って面３１’を有する矩形前面パネル３２’に接続される。前面３２’は、垂直折り畳み線３４’に沿って面３５’を有する矩形外側右側面パネル３６’に接続される。外側右側面パネル３６’は、垂直折り畳み線８６’に沿って台形形状を有し角度付き上縁５２’及び面８３’を含む後方右側面パネル８２’に接続される。後方右側面パネル８２’は、垂直折り畳み線４６’に沿って面３９’を有する矩形外側背面パネル４０’に接続される。外側背面パネル４０’は、垂直折り畳み線４８’に沿って台形形状を有し角度付き上縁５４’及び面８５’を含む後方左側面パネル８４’に接続される。後方左側面パネル８４’は、垂直折り畳み線８８’に沿って面４３’を有する矩形外側左側面パネル４４’に接続される。好ましくは、外側左側面パネル４４’は、内面４３’の少なくとも一部分に付加された接着剤材料を含む。
折り畳み線４６’、４８’の各々は、角度付き縁部５２’、５４’によって形成されたブランク材１０’の水平先端縁部の凹部部分５０’まで上向きに延びている。好ましくは、縁部５８’によって形成された半円形切り欠き５６’が凹部部分５０’に沿って配置される。
【００１６】
図４に示すように、ブランク材１０’は、好ましくは、内側背面パネル２２’と外側背面パネル４０’の間に形成されたポケットの底面を形成するように外側背面パネル４０’の下に配置された底面パネル６０’を含む。底面パネル６０’は、水平折り畳み線６４’によって外側背面パネル４０’に接続されたストップパネル６２’と、水平折り畳み線６８’に沿ってストップパネル６２’の下に接続されたタックパネル６６’とを含む。タックパネル６６’は、面６７’（図６）を含み、好ましくは面６７’の少なくとも一部分に付加された接着材料を含む。折り畳み線６４、６８は、好ましくは互いに対して平行である。ストップパネル６２’は、角度付き縁部７０’、７２’を含み、タックパネル６６’は、縁部７４’、７６’、及び水平下縁７８’を含む。
【００１７】
好ましくは、外側背面パネル４０’の底面に沿って配置された半円形縁部９４’は、真っ直ぐな延長部９６’を有し、それが第１の水平折り畳み線６４’からストップパネル６２’にわたって第２の水平折り畳み線６８’まで延びて開口部９２’を形成する。開口部９２’の真っ直ぐな延長部９６’は、ストップパネル６２’を２つの離間した部分６２ａと６２ｂとに分離する。
ブランク材１０’は、あらゆる適切な材料から成る。好ましくは、ブランク材は、ヒンジ式蓋のシガレット箱を形成するための適切な紙材料から成る。ブランク材１０’は、紙材料の１つ又はそれよりも多くの層を含む。
【００１８】
この実施形態では、前面パネル３２’、外側右側面パネル３６’、外側背面パネル４０’、及び外側左側面パネル４４’の１つ又はそれよりも多くにロゴ、情報テキスト、装飾類のような印しを提供することができる。例えば、印しは、これらのパネルの１つ又はそれよりも多くに印刷することができる。代替的に、印しは、ブランク材１０’の表面に接着された個々のシートに提供することができる。
この実施形態では、垂直折り畳み線２０’、２４’、３０’、３４’、８６’４６’、４８’、及び８８’は、好ましくは互いに平行であり、好ましくは水平折り畳み線６４’、６８’に垂直である。図５を参照すると、ブランク材１０’が凹部１０４’及びポケット１０８’（図８）を有するスリーブ１００’に折り畳まれると、前面パネル３２’、外側右側面パネル３６’、後方右側面パネル８２’、外側背面パネル４０’、後方左側面パネル８４’、及び外側左側面パネル４４’がスリーブ１００’の外面を形成する。
【００１９】
特に、内側右側面パネル１２’は、外側右側面パネル３６’の下になるように折り畳まれる。ストップパネル６２ａ、６２ｂの部分は、水平折り畳み線６４’に沿って内向きに折り畳まれ、ポケット１０８’の底面を形成する。タックパネル６６’は、水平折り畳み線６８’（図６）に沿って折り畳まれ、好ましくは、接着剤材料がタックパネル６６’を内側背面パネル２２’の外面８０’に結合する。好ましくは、内側右側面パネル１２’の接着剤材料が、外側右側面パネル３６’の内面３５’を垂直折り畳み線２０’に重なっている垂直折り畳み線８６’と共に内側右側面パネル１２’に結合する。外側左側面パネル４４’は、内側左側面パネル２６’に重なるように折り畳まれる。好ましくは、外側左側面パネル４４’の内面４３’上の接着剤材料が外側左側面パネル４４’を内側左側面パネル２６’に結合する。好ましくは、垂直折り畳み線８６’が垂直折り畳み線２４’と重なり、外側左側面パネル４４’の左側縁１５’が垂直折り畳み線３０’に最もの近く、かつ平行である。
【００２０】
内側背面パネル２２’の外面８０’は、外側背面パネル４０’の内面３９’に面し、内側背面パネル２２’と外側背面パネル４０’の間に後方右側面パネル８２’及び後方左側面パネル８４’によって形成された側面を有するポケット１０８’を形成する。好ましくは、外側背面パネル４０’は、後方右側面パネル８２’及び後方左側面パネル８４’がポケット１０８’の傾斜付き側面を形成するように内側背面パネル２２’よりも狭い。好ましくは、後方側面パネル８２’、８４’の下縁は、折り畳まれたストップパネル６２’の角度付き縁部７０’、７２’と実質的に交わる。
【００２１】
前面パネル３２’は、スリーブ１００’の内側前面３１’を形成し、内側左側面パネル２６’は、外側左側面パネル４４’の下になってスリーブ１００’の内側左面２５’を形成し、内側右側面パネル１２’は、外側右側面パネル３６’の下になってスリーブ１００’の内側右面１７’を形成し、内側背面パネル２２’は、外側背面パネル４０’の下になってスリーブ１００’の内側背面１９’を形成する。内側前面３１’、内側左面２５’、内側右面１７’、及び内側背面１９’は、シガレットパックのような矩形容器を緊密に収容するように構成されたスリーブ１００’の内側（凹部１０４’）を形成する。タックパネル６６’は、内側背面パネル２２’と外側背面パネル４０’の間に折り込まれてそれらに対して実質的に平行に延び、ストップパネル６２’は、内側背面パネル２２’及び外側背面パネル４０’の対向する垂直面に対して垂直に延びている。ストップパネル６２’（部分６２ａ、６２ｂ）は、スリーブ内で２つの機能を提供する。第１に、ストップパネル６２’は、内側背面パネル２２と外側背面パネル４０の間の空間の幅を形成する。空間は、水平折り畳み線間の距離とほぼ同じサイズを有する。ストップパネル６２’はまた、ポケットに収容された物品がポケットの下縁から脱落することを防止する底面壁を形成する。タックパネル６６’は、内側背面パネル２２と接着的に結合することができる。
【００２２】
スリーブ１００’内では、内側背面パネル２２’と外側背面パネル４０’の対向する面との間のポケット１０８’が、ブランク材の上縁の部分５０’から折り畳み線６４’まで延びている。ポケット１０８’は、その上縁が開いている。ポケット１０８’は、１つ又はそれよりも多くの物体１１２’（図７）を収容するように構成される。例えば、ポケット１０８’は、無煙タバコのポーチを収容する１つ又はそれよりも多くのパッケージ１１２’を収容するように構成することができる。
【００２３】
ポケット１０８’の上縁にある半円形開口部５６’及びポケット１０８’の上縁にある開口部９２’は、アクセス開口部として機能する。ポケット１０８’内に配置された物体１１２’は、ユーザ（消費者）が、下部開口部９２’を通じて露出した物体１１２’の縁部に対抗して指、親指、又はその他を用いて押すことにより、上部開口部５６’を通じて露出した物体１１２’の別の縁部を引っ張ることにより、又はその両方によって取り出すことができる。
【００２４】
スリーブ１００’は、矩形縦方向断面形状を有する様々な容器と共に使用することができる。容器は、シガレットが内に格納される厚紙で作られた柔らかいパック又は固いパックとすることができる。そのような容器は、箱部分にヒンジ止めした蓋部分を含むことができる。そのような容器は、喫煙物品の新鮮さを保持するために外側セロファン包装紙を有することができる。そのような容器の１つは、スリーブ１００’が容器の前面、側面、及び背面に重なるように形成したスリーブ１００’の凹部１０４’内に挿入することができる。代替的に、ブランク材１０’は、容器上に置き、折り畳んでスリーブ１００’を形成することができる。販売促進用製品のような１つ又はそれよりも多くの物体１１２’を次にポケット１０８’内に挿入することができる（図９）。
本発明をその特定的な実施形態に関連して詳細に説明したが、特許請求の範囲から逸脱することなく様々な変形及び修正を行い、かつ均等物を使用することができることは当業者には明らかであろう。
【符号の説明】
【００２５】
４０’  外側背面パネル
１００’  スリーブ
１０８’  ポケット
【図１】
2011506217.tif 000003
【図２】
2011506217.tif 000004
【図３】
2011506217.tif 000005
【図４】
2011506217.tif 000006
【図５】
2011506217.tif 000007
【図６】
2011506217.tif 000008
【図７】
2011506217.tif 000009
【図８】
2011506217.tif 000010
【図９】
2011506217.tif 000011
【国際調査報告】
2011506217.tif 000012
2011506217.tif 000013
2011506217.tif 000014